(57)【要約】      （修正有）【課題】マットの大きさに応じて柵部材の大きさを調節して様々な大きさの空間を構成することができ、マットの一側端が垂直に立てられて壁体を形成するとき、垂直に立てられるマットの高さを調節することができ、少数の柵部材でベービルームを形成することができる幼児用組立式柵を提供すること。【解決手段】複数個の柵部材が連結され、組立後は分離した空間を形成する組立式柵において、柵部材には、結合部が設けられ、組立式柵の内側には、折り畳むために、所定の等分に分割して形成されるマット部材が設けられ、柵部材にマット部材が結合手段により結合され、組立式柵は、柵部材が配置された閉鎖部と、柵部材が配置されていない開放部と、からなり、閉鎖部は、壁体部と出入口が設けられ、ドア部と二つの壁端部とを備え、閉鎖部には、固定手段が配置され、組立式柵を移動するとき、マットが下端へ抜けないようにし、固定手段は、それぞれの柵部材を連結する。【選択図】図８
2020025865.tif 000002
【特許請求の範囲】
【請求項１】
複数個の柵部材が連結され、組立後は、分離した空間を形成する組立式柵において、
前記柵部材には、それぞれの柵部材を結合する結合部が設けられ、
前記組立式柵の内側には、折り畳むために、所定の等分に分割して形成されるマット部材（４００）が設けられ、
前記柵部材に前記マット部材が結合手段により結合され、
前記組立式柵は、前記柵部材が配置された閉鎖部と、
前記柵部材が配置されていない開放部と、からなり、
前記閉鎖部は、壁をなす一つ以上の壁体部（１００）と、
前記壁体部（１００）と結合され、出入口が設けられ、空間を開閉または開放可能なドア部（３００）と、
前記壁体部と垂直に結合される二つの壁端部（２００）と、を備える
ことを特徴とする幼児用組立式柵。
【請求項２】
前記壁体部（１００）と前記ドア部（３００）は、左側辺及び右側辺と上側辺及び下側辺からなり、前記結合部は、
前記左側辺または右側辺に形成された突起部（１１０）と、
前記右側辺及び左側辺に形成された溝部（１２０）と、を有し、
前記突起部が前記溝部に嵌合される
請求項１に記載の幼児用組立式柵。
【請求項３】
前記マット部材（４００）は、
一つ以上のメインマット（４１０）と、
前記メインマットに連結される一つ以上のサブマットと、からなる
請求項１に記載の幼児用組立式柵。
【請求項４】
前記メインマット（４１０）は、
前記組立式柵の底部に位置し、
前記サブマットは、前記組立式柵の開放部を閉鎖して配置される
請求項３に記載の幼児用組立式柵。
【請求項５】
前記マット部材は、前記マット部材を折り畳むための分割部が前面に形成され、
前記メインマットの間には、前記メインマットを連結する連結マット（４３０）がさらに設けられ、
前記サブマット（４２０）は、
前記メインマットと連結される第１のサブマット（４２１）と、
前記第１のサブマットと連結される第２のサブマット（４２２）と、からなる
請求項３に記載の幼児用組立式柵。
【請求項６】
前記第１のサブマット（４２１）は、前記第２のサブマットと連結される分割部において、左側辺と右側辺にそれぞれ第１のリング部（４４０）が形成され、
前記第２のサブマット（４２２）は、背面の終端の左側辺と右側辺にそれぞれ第２のリング部（４４１）が形成される
請求項５に記載の幼児用組立式柵。
【請求項７】
前記マット部材（４００）は、３段マット部材、５段マット部材、６段マット部材であり、
前記３段マット部材は、一つのメインマットと、一つの第１のサブマットと、一つの第２のサブマットとからなり、
前記５段マット部材は、二つのメインマットと、前記二つのサブマットの間に形成される連結マットと、一つの第１のサブマットと、一つの第２のサブマットとからなり、
前記６段マット部材は、三つのメインマットと、一つの連結マットと、一つの第１のサブマットと、一つの第２のサブマットとからなり、前記６段マットのメインマットは、二つのメインマットと、一つの連結マットと、一つのメインマットと、一つの第１のサブマットと、一つの第２のサブマットとが順次に連結される
請求項６に記載の幼児用組立式柵。
【請求項８】
前記閉鎖部には、柵部材の形態を維持する固定手段（５００）が設けられ、
前記ドア部（３００）は、
中央が開放した形態の戸枠（３１０）と、
前記戸枠の中央開放部に並んで垂直設置されるとともに、一側端が、前記戸枠とヒンジ（３３０）で締め付けられる出入口本体（３２０）と、
前記戸枠と出入口本体の他端に設けられ、出入口本体の閉鎖状態を固定するロック装置（３４０）と、
下部に複数個の円形の貫通孔が形成され、前記固定手段（５００）が挟まれる固定溝部（５１０）と、を有し、
前記壁体部（１００）は、
上端の中央部には、胴体を貫通する取っ手溝（１６０）と、
上端の両側に二つの円形の貫通孔が形成され、キャノピー、ガーランド、携帯電話据置台、収納箱などを設置可能な据置溝部（１５０）と、
下部に三つの円形の貫通孔が形成された固定溝部（５１０）と、を有し、
前記壁端部（２００）は、
前記壁端部の高さ方向に二つの壁端突起部（２２０）が形成され、前記壁体部（１００）の溝部と結合する第１の壁端部（２１０）と、
前記壁端部の高さ方向に二つの壁端溝部（２６０）が形成され、前記壁体部（１００）の突起部と結合する第２の壁端部（２５０）と、を有し、
前記壁端部の上部を貫通する二つの円形の貫通孔状の固定溝部（５１０）を有する
請求項５に記載の幼児用組立式柵。
【請求項９】
前記結合手段と固定手段は、一定の厚さと長さを有する一つの紐であり、
第１のサブマットと第２のサブマットを垂直に立てたとき、前記固定手段（５００）が、第２のリング部と壁端部（２００）に形成された固定溝部（５１０）を貫通するようにし、
サブマット（４２０）が壁端部に垂直結合して開放部を閉鎖する
請求項８に記載の幼児用組立式柵。
【請求項１０】
前記第１のサブマットが垂直に立てられ、前記第２のサブマットの前面が前記第１のサブマットの前面と当接するように折り畳まれたとき、前記固定手段が、前記第１のサブマットの左側辺と右側辺に位置した第１のリング部と、前記第１の壁端部（２１０）と第２の壁端部（２５０）に形成された固定溝部とを貫通するようにし、前記第１のサブマット（４２１）の一面が壁端部に垂直結合され、開放部を低い高さで閉鎖する
請求項９に記載の幼児用組立式柵。
【請求項１１】
前記閉鎖部の内側面には、クッションガード部材（６００）がさらに設けられ、
前記クッションガード部材の長さは、二つの柵部材を結合したとき、その長さに等しく形成され、
前記クッションガード部材は、両端に一定の長さの固定ストラップ（６１０）が、左側上端と右側上端に設けられ、
前記柵部材の内側面にクッションガード部材が設けられたとき、前記固定ストラップは、隣接したまた他のクッションガード部材の固定ストラップと、柵部材の外側面において結ばれる
請求項１に記載の幼児用組立式柵。
【発明の詳細な説明】
【技術分野】
【０００１】
本発明は、幼児用組立式柵に係り、さらに詳しくは、折り畳み易いように所定の等分に分割された幼児用マットの周辺に、複数の柵部材が連結して設置されるが、前記マットの一側端が垂直に立てられて空間を分離し、前記マットの大きさに応じて、柵部材の個数を調節し、様々な大きさの分離した空間を構成することができ、前記幼児用マットと柵を固定手段で固定することにより、さらに堅固でかつ安定的に柵を形成することができる幼児用組立式柵に関する。
【背景技術】
【０００２】
ハイハイや伝い歩きを始める乳幼児では、思考力が弱いので、保護者が注意を怠ると様々な安全事故が発生するおそれがあった。したがって、乳幼児が保護者の視界から外れずに、制限された空間で遊ぶようにする必要があった。
【０００３】
近年、このような子供のための遊び空間を形成するために、複数の柵部材が互いに結合して一つの分離した空間を構成するように組立式で構成されるベービルームが用いられている。
【０００４】
ベービルームの一例として、特許文献１には、複数の柵部材が互いに結合して形成される組立式安全柵であって、前記柵部材の一側面には、連結リングが設けられ、前記各柵部材の他側面には、連結溝が形成され、前記連結リングが隣接した他の柵部材の連結溝に噛み合って結合されることを特徴とする組立式柵が提案されている。
【０００５】
しかしながら、従来技術では、ベービルームを壁体に固定する構造がなく、分離した空間を構成するためには、四方が柵部材からなるため、多くの柵部材を要するという短所があり、ベービルーム内の視野確保が容易ではなく、ベービルーム内にいる乳幼児の安全を確認するためには、頻繁にベービルームに出入りしなければならなかった。
【０００６】
また、従来のベービルームに出入りするために形成された扉は、開閉過程が不便であり、開閉に伴って出る騒音により、乳幼児の睡眠を妨げるようになる。
【０００７】
また、従来のベービルームの床面は、マットを敷いたとき、前記柵部材がマットと堅固に固定される構造ではないため、ベービルームが遊動し易く、マットとベービルームの柵部材との間に乳幼児の足がはまったり挟まったりして抜けない安全事故が発生するのみならず、乳幼児がベービルームの外に出て子供の安全を脅かしてしまう。
【０００８】
また、従来のベービルームを移動するときは、それぞれの柵部材とマットを一つずつ移動して、再設置しなければならなかったので、多くの時間がかかるのみならず、ベービルームの運搬が容易ではないという短所があった。
【先行技術文献】
【特許文献】
【０００９】
【特許文献１】韓国公開実用新案第２０−２０１１−０００３８８８号公報
【発明の概要】
【発明が解決しようとする課題】
【００１０】
本発明は、上記問題点に鑑みなされたものであり、マットの大きさに応じて柵部材の大きさを調節して様々な大きさの空間を構成することができ、マットの一側端が垂直に立てられて壁体を形成するとき、前記垂直に立てられるマットの高さを調節することができ、少数の柵部材でベービルームを形成することができる幼児用組立式柵を提供することを目的とする。
【００１１】
また、柵部材に穿孔し、マットにリングを設けることにより、柵部材とマットが設けられたとき、当該孔とリングに紐を連結して、それぞれの柵部材またはマットが遊動し難く、隙間ができたりはみ出されたりすることによる乳幼児の事故を防止するのみならず、結合した状態を解体しなくても、ベービルームを安定的に運搬することができる組立式柵を提供することを他の目的とする。
【００１２】
しかしながら、本発明の目的は、上記した目的に制限されず、言及していないまた他の目的は、下記の記載から当業者にとって明確に理解されるであろう。
【課題を解決するための手段】
【００１３】
上記目的を達成するための本発明は、複数個の柵部材が連結され、組立後は、分離した空間を形成する組立式柵において、前記柵部材には、それぞれの柵部材を結合する結合部が設けられ、前記組立式柵の内側には、折り畳むために、所定の等分に分割して形成されるマット部材４００が設けられ、前記柵部材に前記マット部材が結合手段により結合される。
【００１４】
また、前記組立式柵は、前記柵部材が配置された閉鎖部と、前記柵部材が配置されていない開放部と、からなり、前記閉鎖部は、壁をなす一つ以上の壁体部１００と、前記壁体部１００と結合されるが、出入口が設けられ、空間を開閉または開放可能なドア部３００と、前記壁体部と垂直に結合される二つの壁端部２００と、を備える。
【００１５】
また、前記壁体部１００と前記ドア部３００は、左側辺及び右側辺と上側辺及び下側辺からなるが、前記結合部は、前記左側辺または右側辺に形成された突起部１１０と、前記右側辺及び左側辺に形成された溝部１２０と、を有し、前記突起部が前記溝部に嵌合される。
【００１６】
また、前記マット部材４００は、一つ以上のメインマット４１０と、前記メインマットに連結される一つ以上のサブマットと、からなる。
【００１７】
また、前記メインマット４１０は、前記組立式柵の底部に位置し、前記サブマットは、前記組立式柵の開放部を閉鎖して配置される。
【００１８】
また、前記マット部材は、前記マット部材を折り畳むための分割部が前面に形成されるが、前記メインマットの間には、前記メインマットを連結する連結マット４３０がさらに設けられ、前記サブマット４２０は、前記メインマットと連結される第１のサブマット４２１と、前記第１のサブマットと連結される第２のサブマット４２２と、からなる。
【００１９】
また、前記柵部材が配置された閉鎖部には、前記柵部材が互いに形態を維持するように固定する固定手段５００が配置される。
【００２０】
また、前記固定手段は、前記メインマットの下端において、前記閉鎖部の下端を互いに連結して配置されることにより、前記柵の底部に配置されたメインマットが、前記柵を移動するとき、下方へ抜けないように配置される。
【００２１】
また、前記固定手段５００は、開放部と対向する壁体部１００と、前記開放部と対向する壁体部の左側辺と右側辺にそれぞれ垂直に結合される二つの壁体部１００とを三角形状に通過するが、前記固定手段５００は、開放部の左側に垂直に設けられた壁体部において開放部と隣接した固定溝部５１０と、開放部の右側に垂直に設けられた壁体部において開放部と隣接した固定溝部５１０とを通過して柵部材を固定する。
【００２２】
また、前記第１のサブマット４２１は、前記第２のサブマットと連結される分割部において、左側辺と右側辺にそれぞれ第１のリング部４４０が形成され、前記第２のサブマット４２２は、背面の終端の左側辺と右側辺にそれぞれ第２のリング部４４１が形成される。
【００２３】
また、前記マット部材４００は、３段マット部材、５段マット部材、６段マット部材であるが、前記３段マット部材は、一つのメインマットと、一つの第１のサブマットと、一つの第２のサブマットとからなり、前記５段マット部材は、二つのメインマットと、前記二つのサブマットの間に形成される連結マットと、一つの第１のサブマットと、一つの第２のサブマットとからなり、前記６段マット部材は、三つのメインマットと、一つの連結マットと、一つの第１のサブマットと、一つの第２のサブマットとからなるが、前記６段マットのメインマットは、二つのメインマットと、一つの連結マットと、一つのメインマットと、一つの第１のサブマットと、一つの第２のサブマットとが順次に連結される。
【００２４】
また、前記ドア部３００は、中央が開放した形態の戸枠３１０と、前記戸枠の中央開放部に並んで垂直設置されるとともに、一側端が、前記戸枠とヒンジ３３０で締め付けられる出入口本体３２０と、前記戸枠と出入口本体の他端に設けられ、出入口本体の閉鎖状態を固定するロック装置３４０と、下部に複数個の円形の貫通孔が形成され、前記固定手段５００が挟まれる固定溝部５１０と、を有し、前記壁体部１００は、上端の中央部には、胴体を貫通する取っ手溝１６０と、上端の両側に二つの円形の貫通孔が形成され、キャノピー、ガーランド、携帯電話据置台、収納箱などを設置可能な据置溝部１５０と、下部に三つの円形の貫通孔が形成された固定溝部５１０と、を有し、前記壁端部２００は、前記壁端部の高さ方向に二つの壁端突起部２２０が形成され、前記壁体部１００の溝部と結合する第１の壁端部２１０と、前記壁端部の高さ方向に二つの壁端溝部２６０が形成され、前記壁体部１００の突起部と結合する第２の壁端部２５０と、を有するが、前記壁端部の上部を貫通する二つの円形の貫通孔状の固定溝部５１０を有する。
【００２５】
また、前記結合手段と固定手段は、一定の厚さと長さを有する一つの紐であるが、第１のサブマットと第２のサブマットを垂直に立てたとき、前記固定手段５００が、第２のリング部と壁端部２００に形成された固定溝部５１０を貫通するようにし、サブマット４２０が壁端部に垂直結合して開放部を閉鎖する。
【００２６】
前記第１のサブマットが垂直に立てられるが、前記第２のサブマットの前面が前記第１のサブマットの前面と当接するように折り畳まれたとき、前記固定手段が、前記第１のサブマットの左側辺と右側辺に位置した第１のリング部と、前記第１の壁端部２１０と第２の壁端部２５０に形成された固定溝部とを貫通するようにし、前記第１のサブマット４２１の一面が壁端部に垂直結合され、開放部を低い高さで閉鎖する。
【００２７】
また、前記複数個の柵部材が結合して形成される分離した空間の面積が、前記３段マットの面積よりも極めて小さくなり、前記マットの一側端が垂直に立てられたとき、前記空間の面積によりマット部材が加圧されて形態を維持可能であることを特徴とする。
【００２８】
また、前記閉鎖部の内側面には、クッションガード部材６００がさらに設けられるが、前記クッションガード部材の長さは、二つの柵部材を結合したとき、その長さに等しく形成され、前記クッションガード部材は、両端に一定の長さの固定ストラップ６１０が、左側上端と右側上端に設けられるが、前記柵部材の内側面にクッションガード部材が設けられたとき、前記固定ストラップは、隣接したまた他のクッションガード部材の固定ストラップと、柵部材の外側面において結ばれることを特徴とする。
【００２９】
本発明の特徴及び利点は、添付図面に基づいて以下の詳細な説明によりさらに明らかになる。
本明細書及び請求の範囲に用いられた用語や単語は、通常的かつ事典的な意味で解釈されてはならず、発明者が最善の方法で説明するために、用語の概念を適宜定義することができるという原則に基づき、本発明の技術的思想に沿う意味と概念で解釈される。
【発明の効果】
【００３０】
本発明によれば、マット部材の大きさに応じて柵部材の大きさを調節して様々な大きさの分離した空間を構成することができ、マット部材の一側端が垂直に立てられて柵部材の開放部を閉鎖するとき、前記垂直に立てられて開放部を閉鎖するマットの高さを用途に応じて調整することができ、また、柵部材とマットが設けられたとき、それぞれの柵部材またはマットが固定手段により固定され、前記ベービルームを構成する柵部材とマットが側へはみ出されたり隙間ができたりすることなく、分離した空間の形状が変形しないという効果があり、前記柵部材またはマットが遊動することにより、乳幼児の身体の一部が挟まったりはまったりする安全事故を予防することができ、結合した状態を解体しなくても、ベービルームを安定的に運搬することができるという効果がある。
【図面の簡単な説明】
【００３１】
【図１】本発明の幼児用組立式柵における壁体部と壁端部の結合状態を詳細に示す断面図
【図２】本発明の幼児用組立式柵における壁体部を詳細に示す正面図
【図３】本発明の幼児用組立式柵における第１の壁端部を詳細に示す正面図
【図４】本発明の幼児用組立式柵における第２の壁端部を詳細に示す正面図
【図５】本発明の幼児用組立式柵におけるドア部を詳細に示す正面図
【図６】本発明の３段マットの展開状態を詳細に示す斜視図
【図７】本発明の３段マットを示す側面図
【図８】本発明の幼児用組立式柵が結合された状態を示す斜視図
【図９】本発明の５段マットの展開状態を詳細に示す斜視図
【図１０】本発明の６段マットの展開状態を詳細に示す斜視図
【図１１】本発明の３段マットが設けられる幼児用組立式柵の結合状態を固定する固定手段が設けられた状態を概略的に示す説明図
【図１２】本発明の幼児用組立式柵の内側において、３段マットが壁端部と固定された状態を示す平面図
【図１３】本発明の５段マットが設けられる幼児用組立式柵の結合状態を固定する固定手段が設けられた状態を概略的に示す説明図
【図１４】本発明の６段マットが設けられる幼児用組立式柵の結合状態を固定する固定手段が設けられた状態を概略的に示す説明図
【図１５】本発明の幼児用組立式柵の内側において、５段マットが壁端部と固定された状態を示す平面図
【図１６】本発明の幼児用組立式柵の内側において、６段マットが壁端部と固定された状態を示す平面図
【図１７】本発明の幼児用組立式柵の壁体部において、据置溝部にガーランドが設けられた状態を示す説明図
【図１８】本発明の幼児用組立式柵のクッションガードを示す説明図
【発明を実施するための形態】
【００３２】
以下、添付された図面を参照して、本発明の好適な実施形態について詳述する。この過程で、図示された線の厚さや構成要素の大きさなどは、説明の明瞭さと便宜のため、誇張して図示されることもある。
【００３３】
また、後述する用語は、本発明における機能を考慮して定義された用語であって、これは、使用者、運用者の意図または慣例により異なる。このため、これらの用語についての定義は、本明細書の全般にわたった内容に基づいて行われる。
さらに、以下の実施形態は、本発明の権利範囲を限定するものではなく、本発明の請求の範囲に提示された構成要素の例示的な事項に過ぎず、本発明の明細書の全般にわたった技術思想に含まれ、請求の範囲の構成要素のうち、均等物として置換可能な構成要素を含む実施形態は、本発明の権利範囲に含まれ得る。
【００３４】
添付の図８は、本発明の幼児用組立式柵が結合された状態を示す斜視図である。
【００３５】
図８を参照すると、本発明は、複数個の柵部材が連結され、組立後は、分離した空間を形成する組立式柵において、前記柵部材には、それぞれの柵部材を結合する結合部が設けられ、前記組立式柵の内側には、折り畳むために所定の等分に分割されて形成されるマット部材４００が設けられ、前記柵部材に前記マット部材４００が結合手段により結合される。
【００３６】
また、前記組立式柵は、前記柵部材が配置された閉鎖部と、前記柵部材が配置されていない開放部と、からなり、前記閉鎖部は、壁をなす一つ以上の壁体部１００と、前記壁体部１００と結合されるが、出入口が設けられ、空間を開閉または開放可能なドア部３００と、前記壁体部と垂直に結合される二つの壁端部２００と、を備える。
【００３７】
前記柵部材は、両端に二つの突起部と二つの溝部がそれぞれ前記柵部材の高さ方向に形成された壁体部１００と、前記壁体部１００と結合されるが、出入口が設けられ、空間を開閉または開放可能なドア部３００と、前記壁体部の突起部を収容する壁端溝部と前記壁体部の溝部に収容される壁端突起部とを有し、前記壁体部と垂直に結合される第１の壁端部２１０と第２の壁端部２５０と、を有する。
【００３８】
また、本発明は、マット部材４００と柵部材を固定する固定手段をさらに備えるが、前記分離防止手段と固定手段は、一定の厚さと長さを有する一つの紐であることを特徴とする。
【００３９】
前記固定手段は、前記メインマット４１０の下端において、前記閉鎖部の下端を互いに連結して配置されることにより、前記柵の底部に配置されたメインマットが、前記柵を移動するとき、下方へ抜けないように配置される。
【００４０】
また、前記固定手段は、それぞれの柵部材を連結することにより、乳幼児が前記ベービルーム内において、遊び活動または睡眠活動を行うとき、前記柵部材が側にはみ出されてベービルーム内の分離した空間が変形することがないようにし、前記柵部材とマット部材の結合部に隙間ができてその隙間から乳幼児の足がはまったり挟まったりするような安全事故を予防するようにする。
【００４１】
また、前記柵部材が配置された閉鎖部には、前記柵部材が互いに形態を維持するように固定する固定手段５００が配置される。
【００４２】
また、前記固定手段は、壁端部に形成された固定溝部５１０と、マット部材に形成された第１のリング部及び第２のリング部とに挟まれ、マットの一側端が壁端部に支持された状態で固定する。
【００４３】
添付の図１は、本発明の幼児用組立式柵における壁体部と壁端部の結合状態を詳細に示す断面図である。
【００４４】
図１を参照すると、本発明の前記壁体部１００と前記ドア部３００は、左側辺及び右側辺と上側辺及び下側辺からなるが、結合部は、前記左側辺または右側辺に形成された突起部１１０と、前記右側辺及び左側辺に形成された溝部１２０と、を有し、前記複数個の柵部材を連結するとき、前記突起部が隣接した前記溝部に嵌合される。
【００４５】
また、前記柵部材には、前記柵部材を貫通する一つ以上固定溝部５１０が形成される。
【００４６】
添付の図２は、本発明の幼児用組立式柵における壁体部を詳細に示す正面図である。
【００４７】
図２を参照すると、前記壁体部１００は、前記壁体部の一側の右端において、二つの突出部が、前記壁体部の高さ方向に一定の間隔で離隔して形成された第１の結合部１３０と、前記壁体部の一側の左端において、二つの突出部が前記壁体部の高さ方向に一定の間隔で離隔して形成される第２の結合部１４０と、を有するが、前記第１の結合部と第２の結合部は、前記壁体部１００の高さを基準として行き違うように形成され、第１の結合部１３０の突出部の上面にそれぞれ溝部１２０が形成され、前記第２の結合部１４０の突出部の下面には、それぞれ突起部１１０が形成される。
【００４８】
また、前記壁体部１００は、上端の中央部には、胴体を貫通する取っ手溝１６０と、上端の両側に二つの円形の貫通孔が形成され、キャノピー、ガーランド、携帯電話据置台、収納箱などを設置可能な据置溝部１５０と、下部に三つの円形の貫通孔が形成された固定溝部５１０と、を有する。
【００４９】
添付の図３は、本発明の幼児用組立式柵における第１の壁端部を詳細に示す正面図である。
【００５０】
図３を参照すると、本発明の壁端部２００は、第１の壁端部と第２の壁端部を有するが、前記壁端部２００は、前記壁端部の上部を貫通する一つの円形の貫通孔状の固定溝部５１０を有する。
【００５１】
また、前記第１の壁端部２１０は、前記壁端部の高さ方向に、二つの壁端突起部２２０が形成され、前記壁体部１００の溝部と結合する。
【００５２】
また、前記第１の壁端部２１０は、壁体部１００の上端に形成された第１の結合部１３１が挟まれる上端貫通部２３０と、下端が開放され、壁体部１００の下端に形成された第１の結合部１３２を収容する下端開放部２４０とを有するが、前記上端貫通部２３０と下端開放部２４０の内側に、それぞれ前記第１の結合部１３０の溝部１２０に収容される壁端突起部２２０が設けられる。
【００５３】
図４は、本発明の幼児用組立式柵における第２の壁端部を詳細に示す正面図である。
【００５４】
図４を参照すると、前記第２の壁端部２５０は、前記壁端部の高さ方向に二つの２６０が形成され、前記壁体部１００の突起部と結合される。
【００５５】
また、前記第２の壁端部は、上端が開放され、壁体部１００の上端に形成された第２の結合部１４１が挟まれる上端開放部２７０と、壁体部１００の下端に形成された第２の結合部１４２を収容する下端貫通部２８０とを有するが、上端開放部２７０と下端貫通部２８０の内側にそれぞれ前記第２の結合部の突起部１１０が収容される壁端溝部２６０が設けられる。
【００５６】
これについてさらに詳述すると、図１を参照するとき、前記壁体部１００の上端に形成された第１の結合部１３１の長さがＡ１であり、前記壁体部の下端に形成された第１の結合部１３２の長さがＡ２であり、壁端突起部２２０の長さがＬであり、前記第１の壁端部の上端貫通部２３０の長さがＣ１であり、前記第１の壁端部の下端開放部２４０の長さがＣ２であるとき、Ｌ＋Ａ１＜Ｃ１であり、Ａ２＝Ｃ２となる。
【００５７】
また、前記壁体部１００の上端に形成された第２の結合部１４１の長さがＢ１であり、前記壁体部１００の下端に形成された第２の結合部１４２の長さがＢ２であり、突起部１１０の長さがＬであり、前記第２の壁端部２５０の上端開放部２７０の長さがＤ１であり、前記第２の壁端部の下端貫通部２８０の長さがＤ２であるとき、Ｌ＋Ｂ２＜Ｄ２であり、Ｂ１＝Ｄ１であることを特徴とする。
【００５８】
添付の図５は、本発明の幼児用組立式柵におけるドア部を詳細に示す正面図である。
【００５９】
図５を参照すると、前記ドア部３００は、壁体部１００と同一の形状の第１の結合部と第２の結合部が両端に設けられ、中央が開放された形態の戸枠３１０と、前記戸枠の中央開放部に並んで垂直設置されるとともに、一側端が、前記戸枠とヒンジ３３０で締め付けられる出入口本体３２０と、前記戸枠と出入口本体の他端に設けられることにより、出入口本体の閉鎖状態を固定するロック装置３４０と、下部に複数個の円形の貫通孔が形成され、前記固定手段５００が挟まれる固定溝部５１０と、を有する。
【００６０】
添付の図６は、本発明の３段マットの展開状態を詳細に示す斜視図である。
【００６１】
図６を参照すると、本発明のマット部材４００は、一つ以上のメインマット４１０と、前記メインマットに連結される一つ以上のサブマット４２０と、からなる。
【００６２】
前記メインマット４１０は、前記組立式柵の底部に位置し、前記サブマットは、前記組立式柵の開放部を閉鎖するように配置される。
【００６３】
これについてさらに詳述すると、前記マット部材は、前記マット部材を折り畳むための分割部が前面に形成されるが、前記メインマットの間には、前記メインマットを連結する連結マット４３０がさらに設けられ、前記サブマット４２０は、前記メインマットと連結される第１のサブマット４２１と、前記第１のサブマットと連結される第２のサブマット４２２とからなる。
【００６４】
添付の図７は、本発明の３段マットを示す側面図である。
【００６５】
図７を参照すると、本発明のマット部材４００は、折り畳み易いように所定の等分に分割されるが、分割部が背面に位置し、一面を垂直に立てられて空間を分割することができる。
【００６６】
また、前記マット部材４００は、３段マット部材、５段マット部材、６段マット部材であるが、前記３段マット部材は、一つのメインマットと、一つの第１のサブマットと、一つの第２のサブマットとからなる。
【００６７】
添付の図９は、本発明の５段マットの展開状態を詳細に示す斜視図である。
【００６８】
図９を参照すると、本発明の５段マットは、二つのメインマット４１０と、前記二つのサブマットの間に形成される連結マット４３０と、一つの第１のサブマットと、一つの第２のサブマットとからなり、前記第１のサブマット４２１は、前記第２のサブマットと連結される分割部において、左側辺と右側辺にそれぞれ第１のリング部４４０が形成され、前記第２のサブマット４２２は、背面の終端の左側辺と右側辺にそれぞれ第２のリング部４４１が形成される。
【００６９】
添付の図１０は、本発明の６段マットの展開状態を詳細に示す斜視図である。
【００７０】
図１０を参照すると、前記６段マットは、三つのメインマット４１０と、一つの連結マットと、一つの第１のサブマットと、一つの第２のサブマットとからなるが、前記６段マットのメインマットは、二つのサブマットと、一つの連結マットと、一つのメインマットと、一つの第１のサブマットと、一つの第２のサブマットとが順次に連結される。
【００７１】
また、前記第１のサブマット４２１は、前記第２のサブマットと連結される分割部において、左側辺と右側辺にそれぞれ第１のリング部４４０が形成され、前記第２のサブマット４２２は、背面の終端の左側辺と右側辺にそれぞれ第２のリング部４４１が形成される。
【００７２】
添付の図１１は、本発明の３段マットが設けられる幼児用組立式柵の結合状態を固定する固定手段が設けられた状態を概略的に示す図である。
【００７３】
図１１は、本発明の固定手段５００は、３段マットに対応する幼児用組立式柵を構成する壁体部１００に形成された複数個の固定溝部５１０を貫通して、それぞれの壁体部の結合状態を固定する。
【００７４】
また、前記壁体部の結合状態を固定する固定手段は、向かい合っている壁体部の固定溝部を貫通するように挟まれ、固定手段の両終端を結び、前記固定手段が固定溝部から離脱することを防止する。
【００７５】
これについてさらに詳述すると、前記固定手段５００は、開放部と対向する壁体部１００と、前記開放部と対向する壁体部の左側辺と右側辺にそれぞれ垂直に結合される二つの壁体部１００とを三角形状に通過するが、前記固定手段５００は、開放部の左側に垂直に設けられた壁体部において開放部と隣接した固定溝部５１０と、開放部の右側に垂直に設けられた壁体部において開放部と隣接した固定溝部５１０とを通過して柵部材を固定する。
【００７６】
添付の図１２は、本発明の幼児用組立式柵の内側において、３段マットが壁端部と固定された状態を示す平面図である。
【００７７】
図１２を参照すると、前記分離防止手段が、柵部材の内側において柵部材の結合状態を維持するとき、前記３段マットは、前記分離防止手段の上面に設けられ、前記第１のサブマットと第２のサブマットを垂直に立てたとき、前記固定手段５００が、第２のリング部と壁端部２００に形成された固定溝部５１０を貫通するようにし、サブマット４２０が壁端部に垂直結合されて開放部を閉鎖する。
【００７８】
前記第１のサブマットが垂直に立てられるが、前記第２のサブマットの前面が前記第１のサブマットの前面と当接するように折り畳まれたとき、前記固定手段が、前記第１のサブマットの左側辺と右側辺に位置した第１のリング部と、前記第１の壁端部２１０と第２の壁端部２５０に形成された固定溝部とを貫通するようにし、前記第１のサブマット４２１の一面が壁端部に垂直結合され、開放部を低い高さで閉鎖する。
【００７９】
また、前記複数個の柵部材が結合して形成される分離した空間の面積が、前記３段マットの面積よりも極めて小さくなり、前記マットの一側端が垂直に立てられたとき、前記空間の面積によりマット部材が加圧されて形態を維持可能であることを特徴とする。
【００８０】
添付の図１３は、本発明の５段マットが設けられる幼児用組立式柵の結合状態を固定する固定手段が設けられた状態を概略的に示す図である。
【００８１】
図１３を参照すると、本発明の固定手段５００は、５段マットに対応する幼児用組立式柵を構成する壁体部１００に形成された複数個の固定溝部５１０を貫通して、それぞれの壁体部の結合状態を固定する。
【００８２】
また、前記壁体部の結合状態を固定する固定手段は、向かい合っている壁体部の固定溝部を貫通するように挟まれ、固定手段の両終端を結び、前記固定手段が固定溝部から離脱することを防止する。
【００８３】
これについてさらに詳述すると、前記固定手段５００は、開放部と対向する壁体部１００と、前記開放部と対向する壁体部の左側辺と右側辺にそれぞれ垂直に結合される二つの壁体部１００とを三角形状に通過するが、前記固定手段５００は、開放部の左側に垂直に設けられた壁体部において開放部と隣接した固定溝部５１０と、開放部の右側に垂直に設けられた壁体部において開放部と隣接した固定溝部５１０とを通過して柵部材を固定する。
【００８４】
添付の図１４は、本発明の６段マットが設けられる幼児用組立式柵の結合状態を固定する固定手段が設けられた状態を概略的に示す図である。
【００８５】
図１４を参照すると、本発明の固定手段５００は、６段マットに対応する幼児用組立式柵を構成する壁体部１００に形成された複数個の固定溝部５１０を貫通して、それぞれの壁体部の結合状態を固定する。
【００８６】
また、前記壁体部の結合状態を固定する固定手段は、向かい合っている壁体部の固定溝部を貫通するように挟まれ、固定手段の両終端を結び、前記固定手段が固定溝部から離脱することを防止する。
【００８７】
これについてさらに詳述すると、前記固定手段５００は、開放部と対向する壁体部１００と、前記開放部と対向する壁体部の左側辺と右側辺にそれぞれ垂直に結合される二つの壁体部１００とを三角形状に通過するが、前記固定手段５００は、開放部の左側に垂直に設けられた壁体部において開放部と隣接した固定溝部５１０と、開放部の右側に垂直に設けられた壁体部において開放部と隣接した固定溝部５１０とを通過して柵部材を固定する。
【００８８】
添付の図１５は、本発明の幼児用組立式柵の内側において、５段マットが壁端部と固定された状態を示す平面図である。
【００８９】
図１５を参照すると、前記分離防止手段が、柵部材の内側において柵部材の結合状態を維持するとき、前記５段マットは、前記分離防止手段の上面に設けられ、前記第１のサブマットと第２のサブマットを垂直に立てたとき、前記固定手段が、前記第２のサブマットの両終端に位置した第２のリング部と、前記第１の壁端部と第２の壁端部に形成された固定溝部とを貫通し、前記サブマットの一面が壁端部に固定されて分離した空間を形成する。
【００９０】
また、前記第１のサブマットが垂直に立てられるが、前記第２のサブマットの前面が前記第１のサブマットの前面と当接するように折り畳まれたとき、前記固定手段が、前記第１のサブマットの左側辺と右側辺に位置した第１のリング部と、前記第１の壁端部と第２の壁端部に形成された固定溝部とを貫通するようにし、前記第１のサブマットの一面が壁端部に固定され、一面が低い高さの分離した空間を形成するが、前記複数個の柵部材が結合して形成される分離した空間の面積が、前記５段マットの面積よりも極めて小さくなり、前記マットの一側端が垂直に立てられたとき、前記空間の面積によりマット部材が加圧されて形態を維持可能であることを特徴とする。
【００９１】
添付の図１６は、本発明の幼児用組立式柵の内側において、６段マットが壁端部と固定された状態を示す平面図である。
【００９２】
図１６を参照すると、前記分離防止手段が、柵部材の内側において柵部材の結合状態を維持するとき、前記６段マットは、前記分離防止手段の上面に設けられ、前記第１のサブマットと第２のサブマットを垂直に立てたとき、前記固定手段が、前記第２のサブマットの両終端に位置した第２のリング部と、前記第１の壁端部と第２の壁端部に形成された固定溝部とを貫通し、前記サブマットの一面が壁端部に固定されて分離した空間を形成する。
【００９３】
また、前記第１のサブマットが垂直に立てられるが、前記第２のサブマットの前面が前記第１のサブマットの前面と当接するように折り畳まれたとき、前記固定手段が、前記第１のサブマットの左側辺と右側辺に位置した第１のリング部と、前記第１の壁端部と第２の壁端部に形成された固定溝部とを貫通するようにし、前記第１のサブマットの一面が壁端部に固定され、一面が低い高さの分離した空間を形成するが、前記複数個の柵部材が結合して形成される分離した空間の面積が、前記６段マットの面積よりも極めて小さくなり、前記マットの一側端が垂直に立てられたとき、前記空間の面積によりマット部材が加圧されて形態を維持可能であることを特徴とする。
【００９４】
添付の図１７は、本発明の幼児用組立式柵の壁体部において、据置溝部にガーランドが設けられた状態を示す図である。
【００９５】
図１７を参照すると、本発明の壁体部１００には、上端の両側を貫通する二つの据置溝部１５０が形成される。
【００９６】
これについてさらに詳述すると、前記据置溝部１５０は、円形の貫通孔であるが、前記貫通孔には、キャノピーやガーランドや携帯電話据置台及び収納箱などを容易に設置可能であることを特徴とする。
【００９７】
添付の図１８は、本発明の幼児用組立式柵のクッションガードを示す図である。
【００９８】
図１８を参照すると、本発明は、閉鎖部の内側面にクッションガード部材６００がさらに設けられ、堅い柵部材の材質による乳幼児の安全事故を予防する。
【００９９】
前記クッションガード部材の長さは、二つの柵部材を結合したとき、その長さと等しく形成され、前記クッションガード部材は、両端に一定の長さの固定ストラップ６１０が左側上端と右側上端に設けられる（図１８の（ａ）参照）。
【０１００】
また、前記閉鎖部をなす柵部材の内側の３面にそれぞれクッションガード部材が設けられたとき、前記固定ストラップは、隣接したまた他のクッションガード部材の固定ストラップと、柵部材の外側面において結ばれ、ベービルームと堅固に固定される（図１８の（ｂ）参照）。
【０１０１】
また、前記クッションガード部材は、クッションを包んでいるファブリックカバーを有するが、前記ファブリック素材のカバーは、前記クッションと分離されて洗濯が容易であることを特徴とする。
【０１０２】
以上、本発明について具体的な実施形態を挙げて詳述したが、これは、本発明を具体的に説明するためのものであって、本発明は、これに限定されず、本発明の技術的思想の範囲内で、当分野における通常の知識を有する者にとって、その変形や改良が可能である。
本発明の単純な変形乃至変更は、本発明の範疇に属するものであって、本発明の具体的な保護範囲は、添付の特許請求の範囲により規定される。
【符号の説明】
【０１０３】
１００  壁体部
１１０  突起部
１２０  溝部
１３０  第１の結合部
１４０  第２の結合部
１５０  据置溝部
１６０  取っ手溝
２００  壁端部
２１０  第１の壁端部
２２０  壁端突起部
２３０  上端貫通部
２４０  下端開放部
２５０  第２の壁端部
２６０  壁端溝部
２７０  上端開放部
２８０  下端貫通部
３００  ドア部
３１０  戸枠
３２０  出入口本体
３３０  ヒンジ
３４０  ロック装置
４００  マット部材
４１０  メインマット
４２０  サブマット
４２１  第１のサブマット
４２２  第２のサブマット
４３０  連結マット
４４０  第１のリング部
４４１  第２のリング部
５００  固定手段
５１０  固定溝部
６００  クッションガード部材
６１０  固定ストラップ
【図１】
2020025865.tif 000003
【図２】
2020025865.tif 000004
【図３】
2020025865.tif 000005
【図４】
2020025865.tif 000006
【図５】
2020025865.tif 000007
【図６】
2020025865.tif 000008
【図７】
2020025865.tif 000009
【図８】
2020025865.tif 000010
【図９】
2020025865.tif 000011
【図１０】
2020025865.tif 000012
【図１１】
2020025865.tif 000013
【図１２】
2020025865.tif 000014
【図１３】
2020025865.tif 000015
【図１４】
2020025865.tif 000016
【図１５】
2020025865.tif 000017
【図１６】
2020025865.tif 000018
【図１７】
2020025865.tif 000019
【図１８】
2020025865.tif 000020